(57)【要約】【課題】胴回り寸法を変化させずに、胴周り部の弾性部材の締め付け力を調整できるようにする。【解決手段】上記課題は、ウエスト縁部弾性部材は、幅方向両端部が外装体２０に固定された固定部２４ｆとされるとともに、これら固定部２４ｆ間に、外装体２０に非固定の自由部２４ｍが設けられており、自由部２４ｍは、幅方向の一部に外装体２０に着脱可能な着脱部材３０が取り付けられるとともに、この着脱部材３０の取付部分以外の部分が伸縮可能な伸縮部２４ｔとされている、ことを特徴とするパンツタイプ使い捨ておむつにより解決される。【選択図】図９
2015188541.tif 000002
【特許請求の範囲】
【請求項１】
前身頃及び後身頃を形成する外装体と、この外装体の内面に固定された、吸収体を含む内装体とを備え、
前記前身頃における外装体の両側部と後身頃における外装体の両側部とがそれぞれ接合され、この接合部分と対応する縦方向範囲が胴周り部とされるとともに、ウエスト開口部及び左右一対の脚開口部が形成され、
前記外装体の胴周り部は、外側層及び内側層と、これら外側層及び内側層間に胴周り部の幅方向両端部にわたり配置された、一本又は複数本の胴周り部弾性部材とを有している、パンツタイプ使い捨ておむつにおいて、
前記胴回り部弾性部材の少なくとも一部のものは、幅方向両端部が前記外装体に固定された固定部とされるとともに、これら固定部間に、前記外装体に非固定の自由部が設けられており、
前記自由部は、幅方向の一部に前記外装体に着脱可能な着脱部材が取り付けられるとともに、この着脱部材の取付部分以外の部分が伸縮可能な伸縮部とされている、
ことを特徴とするパンツタイプ使い捨ておむつ。
【請求項２】
前記外側層における前記着脱部材と重なる部分に開口部が形成されている、請求項１記載のパンツタイプ使い捨ておむつ。
【請求項３】
前記着脱部材の内外両面が前記外装体に着脱可能とされている、請求項１又は２記載のパンツタイプ使い捨ておむつ。
【請求項４】
前記外側層における前記着脱部材と重なる部分に開口部が形成されているとともに、
前記胴回り部弾性部材の折り返しの無い状態における前記着脱部材の内面及び外面のうち、内面が前記外装体に着脱可能とされ、外面が不織布により構成された、請求項１又は２記載のパンツタイプ使い捨ておむつ。
【請求項５】
前記外側層における前記着脱部材と重なる部分に開口部が形成されているとともに、
前記胴回り部弾性部材の折り返しの無い状態における前記着脱部材の内面及び外面のうち、外面が前記外装体に着脱可能とされ、内面が不織布により構成された、
請求項１又は２記載のパンツタイプ使い捨ておむつ。
【請求項６】
前記着脱部材における前記外装体に着脱される面が、メカニカルファスナーのフック材により構成され、前記外装体における前記着脱部材が着脱される面がメカニカルファスナーのループ材又は不織布により構成されている、
請求項１〜５のいずれか１項に記載のパンツタイプ使い捨ておむつ。
【発明の詳細な説明】
【技術分野】
【０００１】
本発明は、パンツタイプ使い捨ておむつに関する。
【背景技術】
【０００２】
パンツタイプ使い捨ておむつは、装着者の腹側から股間を通り背側まで延在する外装体と、この外装体の内面に固定された、吸収体を含む内装体とを備え、外装体の腹側の両側縁部と外装体の背側の両側縁部とが接合されることにより、ウエスト開口部及び左右一対の脚開口部が形成されているものであり、内装体の表面両側部には身体側に突出する立体ギャザーを備えたものが一般的となっている。
【０００３】
また、パンツタイプ使い捨ておむつにおいては、身体へのフィット性を向上させるために、外装体に、ウエスト縁部弾性部材やウエスト下側弾性部材等、種々の弾性部材を伸長状態で固定することが行われている（例えば特許文献１、２参照）。ここに、ウエスト縁部弾性部材は、ウエスト開口部の縁部に、縦方向に間隔を空けて幅方向に沿って複数本平行に配置されているものである。また、ウエスト下側弾性部材は、ウエスト縁部弾性部材よりも前後方向中央部側の領域に、縦方向に間隔を空けて幅方向に沿って配置されているものである。これら胴周り部を締め付けるウエスト縁部弾性部材やウエスト下側弾性部材（以下、総称して胴周り部弾性部材ともいう）は、幅方向中央部における内装体と重なる部分を細かく切断し、内装体の収縮を防止することが一般的である。
【０００４】
胴周り部弾性部材は、一般に締め付け力（弾性収縮力）を調整できないものであり、締め付け力が強い場合には製品サイズを変更することにより対応しているのが現状である。このような問題点に対して、本出願人は締め付け力を調整可能なパンツタイプ使い捨ておむつを提案している（特許文献１，２参照）。
【０００５】
しかしながら、特許文献１記載のものでは、弾性部材の引き込みを利用して締め付け力を弱めるものであるため、自然に適切な締め付け力になるという利点はあるものの、締め付け力を強くすることができないものである。さらに、特許文献１記載のものでは、意図的に締め付け力を調整する際に調整作業が困難であるといった問題点や、締め付け力を弱くし過ぎてしまった場合に戻すことができない、といった問題点がある。
【０００６】
また、特許文献２記載のものはだぶつきを固定するためのテープを設け、締め付け方向の寸法を短縮化（つまりサイズ調整）することにより、結果的に締め付け力を調整可能なものであるが、寸法を変えずに締め付け力を調整することはできない。例えば、おむつのウエスト周りの寸法は適切であり、単に締め付けをきつくしたいだけのときに対応できない。
【先行技術文献】
【特許文献】
【０００７】
【特許文献１】特開２００９−１０６６６７号公報
【特許文献２】特開２００２−３４５８９０号公報
【発明の概要】
【発明が解決しようとする課題】
【０００８】
そこで本発明の主たる課題は、胴回り寸法を変化させずに、胴周り部の弾性部材の締め付け力を調整できるパンツタイプ使い捨ておむつを提供することにある。
【課題を解決するための手段】
【０００９】
上記課題を解決した本発明は次のとおりである。
＜請求項１記載の発明＞
前身頃及び後身頃を形成する外装体と、この外装体の内面に固定された、吸収体を含む内装体とを備え、
前記前身頃における外装体の両側部と後身頃における外装体の両側部とがそれぞれ接合され、この接合部分と対応する縦方向範囲が胴周り部とされるとともに、ウエスト開口部及び左右一対の脚開口部が形成され、
前記外装体の胴周り部は、外側層及び内側層と、これら外側層及び内側層間に胴周り部の幅方向両端部にわたり配置された、一本又は複数本の胴周り部弾性部材とを有している、パンツタイプ使い捨ておむつにおいて、
前記胴回り部弾性部材の少なくとも一部のものは、幅方向両端部が前記外装体に固定された固定部とされるとともに、これら固定部間に、前記外装体に非固定の自由部が設けられており、
前記自由部は、幅方向の一部に前記外装体に着脱可能な着脱部材が取り付けられるとともに、この着脱部材の取付部分以外の部分が伸縮可能な伸縮部とされている、
ことを特徴とするパンツタイプ使い捨ておむつ。
【００１０】
（作用効果）
本発明では、必要に応じて着脱部材に胴回り部弾性部材を巻き付けて外装体に固定する、着脱部材を幅方向に移動させて外装体に固定する等により、胴回り部弾性部材の伸縮部を直に伸長又は収縮させて締め付け力を調節することができる。したがって、本発明では、胴回り寸法を変化させずに胴周り部弾性部材の締め付け力を調整できる（胴回り寸法の調整手段との組み合わせを排除するものではない）。また、本発明の構造では、胴周り部弾性部材の全てを調整可能とする必要は無いため、例えばウエスト下側弾性部材の締め付け力は固定として、ウエスト縁部弾性部材のみの締め付け力を調整可能にするといったことも可能である。
【００１１】
＜請求項２記載の発明＞
前記外側層における前記着脱部材と重なる部分に開口部が形成されている、請求項１記載のパンツタイプ使い捨ておむつ。
【００１２】
（作用効果）
このように開口部を設けることにより、着脱部材の操作が容易となるだけでなく、着脱部材を外側層の外面に着脱自在に固定することも可能となる。
【００１３】
＜請求項３記載の発明＞
前記着脱部材の内外両面が前記外装体に着脱可能とされている、請求項１又は２記載のパンツタイプ使い捨ておむつ。
【００１４】
（作用効果）
このように着脱部材の内外両面を外装体に着脱可能とすることにより、着脱部材の向きに関係なく固定することができるため、調整の自由度に優れたものとなる。
【００１５】
＜請求項４記載の発明＞
前記外側層における前記着脱部材と重なる部分に開口部が形成されているとともに、
前記胴回り部弾性部材の折り返しの無い状態における前記着脱部材の内面及び外面のうち、内面が前記外装体に着脱可能とされ、外面が不織布により構成された、請求項１又は２記載のパンツタイプ使い捨ておむつ。
【００１６】
（作用効果）
この形態では、着脱部材を開口部から引き出して、裏返さずに外装体の外面に固定するという簡単な操作で、伸縮部を伸長させて締め付け力を強くすることができる。この際、着脱部材の外側の面は移動前後に関係なく不織布により構成されるため、締め付け力の調整前後において使い捨ておむつの外面に、着脱部材における外装体に着脱される面が露出せず、衣類などに誤って固定され難い等の利点がある。この特徴は、特に着脱部材における外装体に着脱される面が、メカニカルファスナーのフック材により構成されている場合に好適である。
【００１７】
＜請求項５記載の発明＞
前記外側層における前記着脱部材と重なる部分に開口部が形成されているとともに、
前記胴回り部弾性部材の折り返しの無い状態における前記着脱部材の内面及び外面のうち、外面が前記外装体に着脱可能とされ、内面が不織布により構成された、
請求項１又は２記載のパンツタイプ使い捨ておむつ。
【００１８】
（作用効果）
この形態では、着脱部材を開口部から引き出して、裏返して外装体の外面に固定するという簡単な操作で、伸縮部を伸長させて締め付け力を強くすることができる。この際、少なくとも調整後には、着脱部材の外側の面は不織布により構成されるため、使用時において使い捨ておむつの外面に、着脱部材における外装体に着脱される面が露出せず、衣類などに誤って固定され難い等の利点がある。この特徴は、特に着脱部材における外装体に着脱される面が、メカニカルファスナーのフック材により構成されている場合に好適である。
【００１９】
＜請求項６記載の発明＞
前記着脱部材における前記外装体に着脱される面が、メカニカルファスナーのフック材により構成され、前記外装体における前記着脱部材が着脱される面がメカニカルファスナーのループ材又は不織布により構成されている、
請求項１〜５のいずれか１項に記載のパンツタイプ使い捨ておむつ。
【００２０】
（作用効果）
着脱部材を外装体に対して着脱可能とするための係止手段としては、剥離強度や再接合時の強度を考慮すると、メカニカルファスナー（面ファスナー）のフック材（雄材）を用いることが望ましく、その場合、外装体における着脱部材の着脱部位はメカニカルファスナーのループ材により構成する他、不織布により構成することもできる。
【発明の効果】
【００２１】
以上のとおり、本発明によれば、胴回り寸法を変化させずに胴周り部弾性部材の締め付け力を調整できるようになる、等の利点がもたらされる。
【図面の簡単な説明】
【００２２】
【図１】展開状態のパンツタイプ使い捨ておむつの平面図（内面側）である。
【図２】展開状態のパンツタイプ使い捨ておむつの平面図（外面側）である。
【図３】締め付け調整前の前身頃のウエスト縁部の（ａ）：要部拡大図、（ｂ）：断面図である。
【図４】図１のＣ−Ｃ断面図である。
【図５】図１のＡ−Ａ断面図である。
【図６】図１のＢ−Ｂ断面図である。
【図７】パンツタイプ使い捨ておむつの装着状態の斜視図である。
【図８】弾性部材のカットパターンを示す平面図である。
【図９】締め付け調整後の前身頃のウエスト縁部の（ａ）：要部拡大図、（ｂ）：断面図である。
【図１０】締め付け調整前の前身頃のウエスト縁部の（ａ）：要部拡大図、（ｂ）：要部拡大図である。
【図１１】締め付け調整後の前身頃のウエスト縁部の（ａ）：要部拡大図、（ｂ）：断面図である。
【図１２】締め付け調整前の前身頃のウエスト縁部の（ａ）：要部拡大図、（ｂ）：断面図である。
【図１３】締め付け調整後の前身頃のウエスト縁部の（ａ）：要部拡大図、（ｂ）：断面図である。
【図１４】製造工程を概略的に示す平面図である。
【発明を実施するための形態】
【００２３】
以下、本発明の一実施形態について、添付図面を参照しつつ詳説する。なお、用語「伸長率」は自然長を１００％としたときの値を意味する。また、図中の点模様部分はホットメルト接着剤等の接合手段を示している。
図１〜図７はパンツタイプ使い捨ておむつを示している。このパンツタイプ使い捨ておむつ（以下、単におむつともいう。）は、前身頃Ｆ及び後身頃Ｂをなす外装体２０と、この外装体２０の内面に固定され一体化された内装体１０とを有しており、内装体１０は液透過性トップシート１１と液不透過性シート１２との間に吸収体１３が介在されてなるものである。製造に際しては、外装体２０の内面（上面）に対して内装体１０の裏面がホットメルト接着剤などの接合手段によって接合（図２の点模様部分）された後に、内装体１０および外装体２０が前身頃Ｆ及び後身頃Ｂの境界である縦方向（前後方向）中央で折り畳まれ、その両側部が相互に熱溶着またはホットメルト接着剤などによって接合されてサイドシール部２１が形成されることによって、ウエスト開口部及び左右一対のレッグ開口部が形成されたパンツタイプ使い捨ておむつとなる。
【００２４】
（内装体の構造例）
内装体１０は、図５〜図６に示すように、不織布などからなる液透過性トップシート１１と、ポリエチレン等からなる液不透過性シート１２との間に、吸収体１３を介在させた構造を有しており、トップシート１１を透過した排泄液を吸収保持するものである。内装体１０の平面形状は特に限定されないが、図示形態のように略長方形とすることが一般的である。
【００２５】
吸収体１３の表面側（肌当接面側）を覆う液透過性トップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性トップシート１１に多数の透孔を形成した場合には、尿などが速やかに吸収されるようになり、ドライタッチ性に優れたものとなる。液透過性トップシート１１は、吸収体１３の側縁部を巻き込んで吸収体１３の裏面側まで延在している。
【００２６】
吸収体１３の裏面側（非肌当接面側）を覆う液不透過性シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２７】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
吸収体１３の形状は、股間部に前後両側よりも幅の狭い括れ部分１３Ｎを有する略砂時計状に形成されているが、長方形状等、適宜の意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
【００２８】
内装体１０の両側部には脚周りにフィットする立体ギャザーＢＳが形成されている。この立体ギャザーＢＳは、図５及び図６に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとしたギャザー不織布１５により形成されている。
【００２９】
また、二重シート間には、自由部分の先端部等に細長状ギャザー弾性部材１６が配設されている。ギャザー弾性部材１６は、製品状態において図５に二点鎖線で示すように、弾性伸縮力により吸収体側縁部より突出する不織布部分を起立させて立体ギャザーＢＳを形成するためのものである。
【００３０】
液不透過性シート１２は、二重シート状のギャザー不織布１５の内部まで進入し、図５に示されるように、立体ギャザーＢＳの下端側において防漏壁を構成するようになっている。この液不透過性シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３１】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、ギャザー弾性部材１６としては、図示形態のような糸状の他、ある程度の幅を有するテープ状のものを用いることもできる。
【００３２】
前述のギャザー不織布１５を構成する素材繊維も液透過性トップシート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３３】
（外装体の構造例）
外装体２０は、図４〜図６にも示されるように、それぞれ不織布等のシートからなる内側シート２０Ａ及び外側シート２０Ｂ（つまり、この形態では外側シート２０Ｂが最外側不織布となる）からなる２層構造の不織布シートとされ、内側シート２０Ａと外側シート２０Ｂとの間、及び外側シート２０Ｂをウエスト開口縁で内面側に折り返してなる折り返し部分と対向部分との間に各種弾性部材が配設され、伸縮性が付与されている。平面形状は、中間両側部にそれぞれレッグ開口部を形成するために形成された凹状の脚回りライン２９により、全体として擬似砂時計形状をなしている。
【００３４】
図示形態の外装体２０においては、弾性部材として、図１及び図２に示される展開形状において、ウエスト開口部近傍２３に配置されたウエスト縁部弾性部材２４と、前身頃Ｆ及び後身頃Ｂに、縦方向に間隔をおいて幅方向に沿って配置された複数のウエスト下側弾性部材２５とを有するとともに、前身頃Ｆ及び後身頃Ｂのそれぞれにおいて、ウエスト下側弾性部材群２５とは別に、一方のサイドシール部２１から一方のレッグ開口部に沿って股間部に向かい、股間部を横断し、かつ他方のレッグ開口部に沿って他方のサイドシール部２１に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で固定されている。なお、本外装体２０では、脚回りライン２９に沿って前身頃Ｆのサイドシール部から後身頃Ｂのサイドシール部まで連続する、所謂脚回り弾性部材は設けられていない。
【００３５】
ウエスト縁部弾性部材２４は、前身頃Ｆと後身頃Ｂとが接合されたサイドシール部２１の範囲の内、ウエスト開口縁近傍に縦方向に間隔をおいて配置された複数条の糸ゴム等の細長状弾性部材であり、身体のウエスト部回りを締め付けるように伸縮力を与えることによりおむつを身体に装着するためのものである。このウエスト縁部弾性部材２４は、図示例では糸ゴムを用いたが、例えばテープ状の伸縮部材を用いてもよい。また、図示形態のウエスト縁部弾性部材２４は、ウエスト部における外側シート２０Ｂの折り返し部分からなる内側層２０Ｃと、これに対向する外側部分からなる外側層２０Ｄとの間に配されているが、内側シート２０Ａと外側シート２０Ｂとの間に配しても良く、その場合には内側シート２０Ａが内側層をなし、外側シート２０Ｂが外側層をなすことになる。
【００３６】
ウエスト下側弾性部材２５は、サイドシール部２１の内、概ね上部から下部までの範囲に亘り、縦方向に間隔をおいて配置された糸ゴム等の細長状弾性部材であり、前身頃Ｆ及び後身頃Ｂの腰周り部分に夫々幅方向の伸縮力を与え、おむつを身体に密着させるためのものである。なお、ウエスト縁部弾性部材２４とウエスト下側弾性部材２５との境界は必ずしも明確でなくてよい。例えば、前身頃Ｆ及び後身頃Ｂに縦方向に間隔をおいて幅方向に配置された弾性部材の内、数は特定できなくても、上部側の何本かがウエスト縁部弾性部材として機能し、残りの弾性部材がウエスト下側弾性部材として機能していればよい。
【００３７】
後身頃Ｂにおいて、ウエスト下側弾性部材２５とは別に配設された背側湾曲弾性部材２６は、糸ゴム等の細長状弾性部材であり、所定の曲線に沿って配置されている。背側湾曲弾性部材２６は、一本であっても良いが複数本であるのが好ましく、図示例では５本の糸ゴム等の細長状弾性部材であり、これら背側湾曲弾性部材２６は互いに交差することなく、間隔をおいて配置されている。この背側湾曲弾性部材群２６は、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００３８】
外装体２０の前身頃Ｆにおいて、ウエスト下側弾性部材群２５とは別に配設された腹側湾曲弾性部材２８は糸ゴム等の細長状弾性部材であり、所定の曲線に沿って配置されている。腹側湾曲弾性部材２８は、一本であっても良いが複数本であるのが好ましく、図示例では５本の糸状弾性部材であり、これら腹側湾曲弾性部材２８は、互いに交差することなく、間隔をおいて配置されている。この腹側湾曲弾性部材群２８も、２，３本程度の弾性部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００３９】
なお、図示例では、前身頃Ｆ及び後身頃Ｂに配置されたウエスト下側弾性部材２５及び湾曲弾性部材２６，２８は、図８に示すように、製造時に外装体に対して連続的に固定した後に、内装体と重なる部分の一部または全部が、所定の切断パターンＣＰで細かく切断されて収縮力が作用しない非収縮部分（つまり、図８の切断パターンＣＰと重なる部分）とされ、この非収縮部分より側方に湾曲しつつ延在する部分が収縮力の作用する収縮部分（つまり、図８の切断パターンＣＰより側方の、ウエスト下側弾性部材２５及び湾曲弾性部材２６，２８が連続的に残された部分）とされている。このため、ウエスト下側弾性部材２５及び湾曲弾性部材２６，２８は、一方側のサイドシール部２１から内装体１０を横切って他方（反対）側のサイドシール部２１まで連続的に設けた後に、内装体と重なる部分の一部または全部が、細かく切断される。これにより、内装体（特に吸収体１３）の幅方向の縮こまりをより防止することができる。もちろん、ウエスト下側弾性部材２５及び湾曲弾性部材２６，２８を、内装体１０を横切って連続的に配置することもできる。
【００４０】
上述した外装体２０は、例えば特開平４−２８３６３号公報や、特開平１１−３３２９１３号公報記載の技術により製造することができる。また、湾曲弾性部材２６，２８を内装体１０上で切断し不連続化するには、特開２００２−３５０２９号公報、特開２００２−１７８４２８号公報及び特開２００２-２７３８０８号公報に記載される切断方法が好適に採用される。
【００４１】
図示例とは異なり、湾曲弾性部材２６，２８を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間範囲９０における最小縦方向離間距離は１０〜１５ｍｍ程度とし、この部分に後述する広幅の固定領域を設けるのが好ましい。
【００４２】
さらに、湾曲弾性部材２６，２８はその全体が湾曲していなくても良く、部分的に直線状の部分を有していても良い。
【００４３】
弾性部材２４〜２８の固定時の伸長率は適宜定めることができるが、通常の成人用の場合、ウエスト縁部弾性部材２４は２３０〜３２０％程度、ウエスト下側弾性部材２５は２３０〜３２０％程度、湾曲弾性部材２６，２８は２３０〜３２０％程度とすることができる。
【００４４】
（前後押えシート）
図１及び図４にも示されるように、外装体２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分をトップシートから若干浮かせて防漏壁として機能させることができる。
【００４５】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、吸収パッドと重なる部分まで延在させて、前述の押えシート５０，６０と同等の部分を形成することもできる。
【００４６】
（締め付け調整手段）
特徴的には、図３に示すように、前身頃Ｆにおけるウエスト縁部弾性部材２４は、幅方向両端部が外装体２０に固定された固定部２４ｆとされるとともに、これら固定部２４ｆ間に外側層２０Ｄ及び内側層２０Ｃに非固定（移動可能）な自由部２４ｍが設けられている。また、自由部２４ｍは、幅方向の一部に外装体に着脱可能な着脱部材３０が取り付けられるとともに、この着脱部材３０の取付部分以外の部分が伸縮可能な伸縮部２４ｔとされている。
【００４７】
これら固定部２４ｆ及び自由部２４ｍを構成するために、図示形態では、ウエスト縁部弾性部材２４の両端部において内側層２０Ｃ及び外側層２０Ｄの接合をホットメルト接着剤ＨＭ等により縦方向に連続的に行い、着脱部材３０の位置する領域では内側層２０Ｃ及び外側層２０Ｄを接合せずに、固定部２４ｆと着脱部材３０の位置する領域との間ではウエスト縁部弾性部材２４の間の部位のみ内側層２０Ｃ及び外側層２０Ｄをホットメルト接着剤ＨＭ等により接合している。図示形態では、固定部２４ｆと着脱部材３０の位置する領域との間における内側層２０Ｃ及び外側層２０Ｄの接合を幅方向に連続させているが、幅方向に間欠的に接合することもできる。また、図示形態では固定部２４ｆにおける内側層２０Ｃ及び外側層２０Ｄの接合を縦方向に連続的に行っているが、ウエスト縁部弾性部材２４の通過位置を接合する限り、縦方向に間欠的に接合しても良い。
【００４８】
着脱部材３０の位置は適宜定めることができ、図示例では、幅方向一端部側に寄せて着脱部材３０を配置しているが、幅方向中央部等、適宜の位置とすることができる。また、着脱部材３０の寸法は、伸縮部２４ｔを確保しうる限り適宜定めることができるが、通常の場合、おむつ全幅Ｗの１０〜２０％とすることができる。
【００４９】
また、外側層２０Ｄにおける着脱部材３０と重なる部分には開口部４０が形成されている。この開口部４０は、着脱部材３０よりも縦方向及び幅方向の少なくとも一方の寸法が小さくても良いが、図示形態では縦方向及び幅方向の寸法が大きくされている。開口部４０の縦方向寸法及び幅方向寸法は、例えば着脱部材３０の縦方向寸法及び幅方向寸法の０．７〜１．５倍とすることができる。
【００５０】
着脱部材３０を外装体２０に対して着脱可能とするための係止手段としては、剥離強度や再接合時の強度を考慮すると、図示形態のようにメカニカルファスナー（面ファスナー）のフック材３１（雄材）を用いることが望ましいが、粘着剤層とすることもできる。これらの係止手段は不織布等の他のシート材に設ける他、フック材３１のようにシート状の部材の場合には、図示形態のように、係止手段により着脱部材３０を形成することもできる。一方、外装体２０における着脱部材３０の着脱部位は、着脱部材３０の係止手段を係止可能な適宜の素材で形成することができ、例えば図示形態のように着脱部材３０の係止手段としてメカニカルファスナーのフック材３１を用いる場合は、外装体２０の着脱部位にメカニカルファスナーのループ材３２を固定しておくことが望ましいが、外装体２０の素材が不織布の場合にはループ材３２を省略したり、あるいはループ材３２に代えて不織布を固定したりしておくこともできる。例えば、図３に示す形態では、内側層２０Ｃの外面におけるフック材３１の初期位置（製品状態の位置）にループ材３２を設けているが、このループ材３２を省略しても良いし、図示しないが、外側層２０Ｄの外面におけるループ材３２を省略することもできる。
【００５１】
着脱部材３０は、ウエスト縁部弾性部材２４の幅方向の一部を外装体２０に固定するための部材である限り、特に形状や構造は限定されないが、例えば、図３に示す形態では、ウエスト縁部弾性部材２４の折り返しの無い状態（製品状態又は使用前の状態）における着脱部材３０の内面及び外面のうち、内面が外装体２０に着脱可能とされ、外面が不織布からなるカバーシート３３により構成されている。このため、図示形態では、ウエスト縁部弾性部材２４を内面側のフック材３１及び外面側のカバーシート３３で挟んで一体化することにより着脱部材３０を構成している。この形態では、図９に示すように、着脱部材３０を開口部４０から引き出して、裏返さずに外装体２０の外面に固定するという簡単な操作で、伸縮部２４ｔを伸長させて締め付け力を強くすることができる。この際、着脱部材３０の外側の面は移動前後に関係なく不織布により構成されるため、締め付け力の調整前後において使い捨ておむつの外面に、着脱部材３０における外装体２０に着脱される面が露出せず、衣類などに誤って固定され難い等の利点がある。
反対に、図１０に示すように、ウエスト縁部弾性部材２４の折り返しの無い状態（製品状態又は使用前の状態）における着脱部材３０の内面及び外面のうち、外面が外装体２０に着脱可能とされ、内面が不織布からなるカバーシート３３により構成されている形態も提案される。具体的に図示形態では、ウエスト縁部弾性部材２４を内面側の不織布及び外面側のフック材３１で挟んで一体化することにより着脱部材３０を構成している。この形態では、図１１に示すように着脱部材３０を裏返しつつ開口部４０から引き出して外装体２０の外面に固定するという簡単な操作で、伸縮部２４ｔを伸長させて締め付け力を強くすることができる。しかも、少なくとも調整後には、着脱部材３０の外側の面は不織布により構成されるため、使用時において使い捨ておむつの外面に、着脱部材３０における外装体２０に着脱される面が露出せず、衣類などに誤って固定され難い等の利点がある。
【００５２】
また、図１２に示すように、着脱部材３０の内外両面が外装体２０に着脱可能とされている形態とすることもできる。このため、図示形態では、ウエスト縁部弾性部材２４を内面側のフック材３１及び外面側のフック材３１で挟んで一体化することにより着脱部材３０を構成している。この形態では、このように着脱部材３０の内外両面を外装体２０に着脱可能とすることにより、着脱部材３０の向きに関係なく固定することができるため、調整の自由度に優れたものとなる。例えば、図１３に示すように、着脱部材３０に胴回り部弾性部材を適宜数巻き付けてから外装体２０に固定することにより締め付け力をきつくすることができる。この巻き付け形態を採用する場合、図１３に示すように着脱部材３０を開口部４０から引き出さずに、元の位置に固定することができる。もちろん、開口部４０から引き出して外側層２０Ｄの外面に固定することも可能である。また、この巻き付け形態を採用する場合、着脱部材３０の幅方向両端部に切り込み部３５を設けて、ウエスト縁部弾性部材２４の巻き付けの容易化及び巻き付けたウエスト縁部弾性部材２４のズレの防止を図るのも望ましい。
【００５３】
（製造方法）
製造方法は特に限定されないが、本発明の使い捨ておむつは、例えば図１４に順に示される方法により製造することができる。すなわち、図１４（ａ）に示す形態は、図１２に示す形態の製造工程を示しており、内側層２０Ｃ上の所定部位にループ材３２を貼り付け、その上に所定寸法にカットしたフック材３１の係止面のＣＤ方向（ライン流れ方向（ＭＤ方向）と直交する方向）一方側を係止した後、その上にウエスト縁部弾性伸縮部２４ｔ材を配置してからフック材３１のＣＤ方向他方側を一方側上に折り返してウエスト縁部弾性部材２４を挟んで固定し、しかる後に予め開口部４０を切断した外側層２０Ｄを、開口部４０位置がフック材３１に合うように被せ、内側層２０Ｃと貼り合わせるものである。また、図１４（ｂ）に示す形態は、図１０に示す形態の製造工程を示しており、内側層２０Ｃ上に、予め所定の間隔でフック材３１及びカバーシート３３を貼り合わせて着脱部材３０を取り付けたウエスト縁部弾性伸縮部２４ｔ材を配置した後、予め開口部４０を切断するとともにループ材３２を貼り付けた外側層２０Ｄを、開口部４０位置がフック材３１に合うように被せ、内側層２０Ｃと貼り合わせるものである。さらに、図１４（ｃ）に示す形態は、図３に示す形態の製造工程を示しており、内側層２０Ｃ上の所定部位にループ材３２を貼り付け、その上に所定寸法にカットしたフック材３１の係止面を係止した後、その上にウエスト縁部弾性伸縮部２４ｔ材を配置してから所定寸法にカットした不織布を貼り付けて、ウエスト縁部弾性部材２４を挟んで固定し、しかる後に予め開口部４０を切断するとともにループ材３２を貼り付けた外側層２０Ｄを、開口部４０の位置がフック材３１に合うように被せ、内側層２０Ｃと貼り合わせるものである。
【００５４】
（その他）
上記実施形態では、ウエスト下側弾性部材２５の締め付け力は固定として、ウエスト縁部弾性部材２４のみの締め付け力を調整可能にしているが、反対に、ウエスト縁部弾性部材２４の締め付け力は固定として、ウエスト下側弾性部材２５のみの締め付け力を調整可能にしたり、ウエスト縁部弾性部材２４及びウエスト下側弾性部材２５の全ての締め付け力を調整可能にしたり、ウエスト縁部弾性部材２４の一部のみ、又はウエスト下側弾性部材２５の一部のみ締め付け力を調整可能にするといったことも可能である。要するに、本発明は胴回り部弾性部材の少なくとも一部が締め付け力を調整可能であれば良いものである。
【００５５】
また、図示形態では前身頃Ｆのみ胴回りの締め付け力を調整可能としたが、これに代えて後身頃Ｂの胴回りの締め付け力を調整可能としたり、前身頃Ｆ及び後身頃Ｂの両方における胴回りの締め付け力を調整可能としたりすることができる。
【００５６】
また、開口部４０は別のシートで開閉可能又は開封可能に閉じても良く、外側層２０Ｄの一部又は全部を切り離して開口部４０を形成するためのミシン目を外側層２０Ｄに設けても良い。また開口部４０を省略して外側層２０Ｄの外側から着脱部材３０を操作するものとしても良い。
【産業上の利用可能性】
【００５７】
本発明は、上記例のようなパンツタイプ使い捨ておむつにおいて利用できるものである。
【符号の説明】
【００５８】
Ｂ…後身頃、Ｆ…前身頃、ＨＭ…ホットメルト接着剤、１０…内装体、１１…トップシート、１２…液不透過性シート、１３…吸収体、１３Ｎ…括れ部分、１４…包装シート、１５…ギャザー不織布、１６…ギャザー弾性部材、２０…外装体、２０Ｃ…内側層、２０Ｄ…外側層、２１…サイドシール部、２４…ウエスト縁部弾性部材、２４ｆ…固定部、２４ｍ…自由部、２４ｔ…伸縮部、２５…ウエスト下側弾性部材、２６，２８…湾曲弾性部材、２６…背側湾曲弾性部材、２８…腹側湾曲弾性部材、２９…脚回りライン、３０…着脱部材、３１…フック材、３２…ループ材、３３…カバーシート、３５…切り込み部、４０…開口部。
【図１】
2015188541.tif 000003
【図２】
2015188541.tif 000004
【図３】
2015188541.tif 000005
【図４】
2015188541.tif 000006
【図５】
2015188541.tif 000007
【図６】
2015188541.tif 000008
【図７】
2015188541.tif 000009
【図８】
2015188541.tif 000010
【図９】
2015188541.tif 000011
【図１０】
2015188541.tif 000012
【図１１】
2015188541.tif 000013
【図１２】
2015188541.tif 000014
【図１３】
2015188541.tif 000015
【図１４】
2015188541.tif 000016